(57)【特許請求の範囲】
【請求項１】
遊技機の不正監視システムにおいて、
ケースに格納されているメイン基板をそれぞれ有する複数の遊技機と、
上記遊技機の各メイン基板の不正改造を監視する監視装置であって、光通信網制御装置及び光通信端末装置を有する監視装置と、
上記複数の遊技機の各メイン基板と上記監視装置とを光通信路ループを形成するように接続する光ケーブルと、を備え、
上記光ケーブルは、各メイン基板に対して、各メイン基板が不正に動かされた場合にその光ケーブルの光通信路が遮断されるように接続され、
上記監視装置は、上記遊技機の電源がオフの状態で、上記光通信網制御装置と上記光通信端末装置との間で双方向光通信可能な手段を有し、それにより、監視装置から上記複数の遊技機の各メイン基板を通って監視装置に戻る光通信による上記光通信路ループを形成し、遊技機電源オフ時におけるメイン基板の不正改造の有無を監視し、
上記メイン基板を上記ケースから出す場合、上記光ケーブルは、上記メイン基板から外されるよう構成されていることを特徴とする不正監視システム。
【請求項２】
上記監視装置の双方向光通信可能な手段は、上記光通信網制御装置と、上記光通信端末装置とから成り、これらの一方の装置から発信した光信号を上記光通信路ループを経由して他方の装置で受信するように構成されたことを特徴とする請求項１に記載の不正監視システム。
【請求項３】
上記遊技機の各メイン基板は、監視装置と光信号の送受信を行うための光通信端末装置と、光通信路を上記光通信端末装置への光通信路と他の遊技機のメイン基板への光通信路とに分岐する光分岐装置とから成ることを特徴とする請求項２に記載の不正監視システム。
【請求項４】
上記遊技機の各メイン基板に接続された、メイン基板のデータを収集するための集中端子板と、その集中端子板のデータを集計して管理するためのホールコンピュータとを備え、集中端子板とホールコンピュータとの間を光通信路を介して接続したことを特徴とする請求項１〜３の何れか１項に記載の不正監視システム。
【請求項５】
遊技機の不正監視システムにおいて、
ケースに格納されているメイン基板をそれぞれ有する複数の遊技機と、
上記遊技機の各メイン基板の不正改造を監視する監視装置であって、光通信網制御装置及び光通信端末装置を有する監視装置と、
上記複数の遊技機の各メイン基板と上記監視装置とを光通信路ループを形成するように接続する光ケーブルと、を備え、
上記光ケーブルは、各メイン基板に対して、各メイン基板が不正に動かされた場合にその光ケーブルの光通信路が遮断されるように接続され、
上記監視装置は、上記遊技機の電源がオフの状態で、上記光通信網制御装置と上記光通信端末装置との間で双方向光通信可能な手段を有し、それにより、監視装置から上記複数の遊技機の各メイン基板を通って監視装置に戻る光通信による上記光通信路ループを形成し、
上記複数の遊技機の各メイン基板は、遊技機電源オフ時における光通信路遮断の有無を監視する光信号監視回路を有し、それにより、遊技機電源オフ時において不正改造されたメイン基板を特定し、
上記メイン基板を上記ケースから出す場合、上記光ケーブルは、上記メイン基板から外されるよう構成されていることを特徴とする不正監視システム。
【請求項６】
上記監視装置の双方向光通信可能な手段は、上記光通信網制御装置と、上記光通信端末装置とから成り、これらの一方の装置から発信した光信号を上記光通信路ループを経由して他方の装置で受信するように構成されたことを特徴とする請求項５に記載の不正監視システム。
【請求項７】
上記光信号監視回路は、第１の光分岐装置に光通信路を介して接続された、一方向の光通信路の遮断の有無を検出する第１の光信号監視回路と、第２の光分岐装置に光通信路を介して接続された、逆方向の光通信路の遮断の有無を検出する第２の光信号監視回路とから成り、
上記遊技機の各メイン基板は、監視装置と光信号の送受信を行うための双方向光通信可能な光通信端末装置と、双方向光通信路の一方向からの光通信路を上記光通信端末装置への光通信路と他の遊技機のメイン基板への光通信路と上記第１の光信号監視回路とに分岐する第１の光分岐装置と、逆方向からの光通信路を他の遊技機のメイン基板への光通信路と上記第２の光信号監視回路とに分岐する第２の光分岐装置とから成ることを特徴とする請求項６に記載の不正監視システム。
【請求項８】
上記第１の光信号監視回路は、遊技機電源オフ時における一方向の光通信路の遮断を検出してその状態を保持するセンサから成り、さらに、上記第２の光信号監視回路は、遊技機電源オフ時における逆方向の光通信路の遮断を検出してその状態を保持するセンサから成り、該保持された状態が遊技機電源オン時に上記光通信端末装置を介して上記監視装置へ報告されることを特徴とする請求項７に記載の不正監視システム。
【請求項９】
上記光通信路の遮断を検出するセンサは、光通信路の光信号を受信して電気信号に変換する受光素子と、受光素子の出力信号によって制御されるＮゲートサイリスタと、Ｎゲートサイリスタのオン及びオフによって放電及び充電されるコンデンサと、コンデンサの両端の電圧を検出することによってコンデンサの充放電状態を検出する電圧検出器とから成ることを特徴とする請求項８に記載の不正監視システム。
【請求項１０】
上記遊技機の各メイン基板に接続された、メイン基板のデータを収集するための集中端子板と、その集中端子板のデータを集計して管理するためのホールコンピュータとを備え、集中端子板とホールコンピュータとの間を光通信路を介して接続したことを特徴とする請求項５〜９の何れか１項に記載の不正監視システム。
【発明の詳細な説明】
【技術分野】
【０００１】
本発明は、パチンコ機又はスロットマシン等の遊技機の不正監視システム、特に、光通信を用いて遊技機のメイン基板の不正改造を監視するシステムに関する。
【背景技術】
【０００２】
遊技機の真贋は、検査官がパチンコ店等の現場に赴いて検査を行っている。しかし、近い将来遊技機の検査は、通信を用いて現場ではなく検査機関等の遠隔地からでも行えるようになると考えられる。遊技機の不正改造、特に、メイン基板の不正改造には、メイン基板上の正規のマイクロコンピュータがつかさどる制御になりすまして別の場所に隠された不正な装置が制御を行うような改造が一度行われてしまうと、検査装置ではその不正改造の確認が難しく、目視により追加された部品の発見以外に手立てがないものもある。正規品になりすました装置による不正行為を防止するには、監視装置と遊技機間で常に通信による監視を行うことで、遊技機に対する不正改造を施す機会を無くす方法が考えられる。しかし、常時監視を行うには、監視装置と遊技機の電源がオン状態であることが前提であり、パチンコ店の営業終了後の遊技機の電源が落とされた状態すなわち電源オフの状態では通信を行うことができず、監視を行えない。というのは、通信が不能になったとき、ただ単に遊技機の電源が落とされたためなのか、それとも遊技機のメイン基板を外され改造が行われているのか判別できないからである。しかも、この方法を採用すると、パチンコ店内では、所狭しに置かれている遊技機が営業終了後でも煌々と光り、省エネの観点から問題がある。また、監視用の電源を別に設け、遊技機本体の電源を落とすような構成にしたとしても、省エネに対する問題は解決されるが、電源の配線や遊技機内の回路が複雑になることが予想される。
【０００３】
従来技術によれば、遊技機のメイン基板と他の基板との通信を光通信によって行うことにより、ノイズの侵入によるビット化けやぶら下げ基板の接続による不正行為等を防止するものがある（特許文献１）。また、光通信を用いて遊技機の不正を監視するシステムであって、遊技機の主要な電子回路を収容する回路収容箱を監視用光ファイバで巻き込んで封止し、回路収容箱の不正な開閉の有無を、その監視用光ファイバの光信号の状態を制御回路によって検出することによって検出し、遊技機電源オン時における遊技機の不正を監視するシステムもある（特許文献２）。さらに、遊技機内のメイン基板と他の基板等の間に、マスタ電源とは別の直流電源又はバックアップ電源によって駆動する監視用電流ループを設け、その電流ループの電流を監視して記憶部に記憶し、その記憶した電流の状態をマスタ電源オン時に読み出すことによって電源オフ時の監視用電流ループの切断を検出し、メイン基板等に対する不正な改造の有無を検出するものもある（特許文献３）。
【０００４】
【特許文献１】特開２００４−４１２９７号公報
【特許文献２】特開２００７−２２２５７９号公報
【特許文献３】特開２００７−２３６４９８号公報
【発明の開示】
【発明が解決しようとする課題】
【０００５】
従来技術によれば、個々の遊技機内におけるメイン基板等の不正改造を電流ループ又は光通信路ループを用いて監視している。また、電源を落とした状態での個々の遊技機の不正監視を電流ループを用いて行っている。従って、従来技術によれば、光通信を用いてパチンコ店の全遊技機のメイン基板に対する不正改造を一括して常時監視して、パチンコ店の営業中だけでなく営業終了後の遊技機の電源を落とした状態でも不正の有無を検出することはできない。また、不正改造されたメイン基板を特定することもできない。また、光通信路ループ内の信号レベルで監視している。そのため、なんらかの作業で監視機能を停止したとき、光通信路のバイパスを作られ、遊技機の改造を行われることもある。
【０００６】
本発明の目的は、このような従来技術における課題を解決し、光通信を用いてパチンコ店の全遊技機を一括して常時監視することによって、遊技機の電源が入った状態はもちろん、電源が落ちた状態でも遊技機のメイン基板等の不正改造を防止することである。
【課題を解決するための手段】
【０００７】
本発明の第１の観点によれば、遊技機の不正監視システムにおいて、それぞれメイン基板を有する複数の遊技機と、上記遊技機の各メイン基板の不正改造を監視する監視装置と、上記複数の遊技機の各メイン基板と上記監視装置とを光通信路ループを形成するように接続する光ケーブルと、を備え、上記光ケーブルは、各メイン基板に対して、各メイン基板が不正に動かされた場合にその光ケーブルの光通信路が遮断されるように接続され、上記監視装置は、上記遊技機の電源がオフの状態で双方向光通信可能な手段を有し、それにより、監視装置から上記複数の遊技機の各メイン基板を通って監視装置に戻る光通信による監視ループを形成し、遊技機電源オフ時におけるメイン基板の不正改造の有無を監視することを特徴とする不正監視システムが提供される。
【０００８】
本発明の第１の観点の１つの特徴によれば、上記監視装置の双方向光通信可能な手段は、光通信網制御装置と、光通信端末装置とから成り、これらの一方の装置から発信した光信号を上記監視ループを経由して他方の装置で受信するように構成されてもよい。
【０００９】
本発明の第１の観点の別の特徴によれば、上記遊技機の各メイン基板は、監視装置と光信号の送受信を行うための光通信端末装置と、光通信路を上記光通信端末装置への光通信路と他の遊技機のメイン基板への光通信路とに分岐する光分岐装置とから成ってもよい。
【００１０】
本発明の第１の観点の更に別の特徴によれば、上記遊技機の各メイン基板に接続された、メイン基板のデータを収集するための集中端子板と、その集中端子板のデータを集計して管理するためのホールコンピュータとを備え、上記メイン基板、集中端子板及びホールコンピュータの相互間を光通信路を介して接続するのが好ましい。
【００１１】
本願発明の第２の観点によれば、遊技機の不正監視システムにおいて、それぞれメイン基板を有する複数の遊技機と、上記遊技機の各メイン基板の不正改造を監視する監視装置と、上記複数の遊技機の各メイン基板と上記監視装置とを光通信路ループを形成するように接続する光ケーブルと、を備え、上記光ケーブルは、各メイン基板に対して、各メイン基板が不正に動かされた場合にその光ケーブルの光通信路が遮断されるように接続され、上記監視装置は、上記遊技機の電源がオフの状態で双方向光通信可能な手段を有し、それにより、監視装置から上記複数の遊技機の各メイン基板を通って監視装置に戻る光通信による監視ループを形成し、上記複数の遊技機の各メイン基板は、遊技機電源オフ時における光通信路遮断の有無を監視する光信号監視回路を有し、それにより、遊技機電源オフ時において不正改造されたメイン基板を特定することを特徴とする不正監視システムが提供される。
【００１２】
本発明の第２の観点の１つの特徴によれば、上記監視装置の双方向光通信可能な手段は、光通信網制御装置と、光通信端末装置とから成り、これらの一方の装置から発信した光信号を上記監視ループを経由して他方の装置で受信するように構成されてもよい。
【００１３】
本発明の第２の観点の別の特徴によれば、上記遊技機の各メイン基板は、監視装置と光信号の送受信を行うための双方向光通信可能な光通信端末装置と、双方向光通信路の一方向からの光通信路を上記光通信端末装置への光通信路と他の遊技機のメイン基板への光通信路とに分岐する第１の光分岐装置と、逆方向からの光通信路を中継する第２の光分岐装置とから成り、上記光信号監視回路は、上記第１及び第２の光分岐装置にそれぞれ光通信路を介して接続された一方向及び逆方向の光通信路の遮断の有無を検出する第１及び第２の光信号監視回路から成ってもよい。
【００１４】
本発明の第２の観点の更に別の特徴によれば、上記第１及び第２の光信号監視回路は、遊技機電源オフ時における一方向及び逆方向の光通信路の遮断を検出してその状態を保持するセンサから成り、該保持された状態が遊技機電源オン時に上記光通信端末装置を介して上記監視装置へ報告されるのが好ましい。
【００１５】
本発明の第２の観点の更に別の特徴によれば、上記光通信路の遮断を検出するセンサは、光通信路の光信号を受信して電気信号に変換する受光素子と、受光素子の出力信号によって制御されるＮゲートサイリスタと、Ｎゲートサイリスタのオン及びオフによって放電及び充電されるコンデンサと、コンデンサの両端の電圧を検出することによってコンデンサの充放電状態を検出する電圧検出器とから成ってもよい。
【００１６】
本発明の第２の観点の更に別の特徴によれば、上記遊技機の各メイン基板に接続された、メイン基板のデータを収集するための集中端子板と、その集中端子板のデータを集計して管理するためのホールコンピュータとを備え、上記メイン基板、集中端子板及びホールコンピュータの相互間を光通信路を介して接続するのが好ましい。
【００１７】
本発明によれば、上記監視装置を上記ホールコンピュータ内に配置することによってホールコンピュータが各遊技機の制御情報だけなく不正に関する情報も常時一括管理できるようにすることが好ましい。
【００１８】
本発明によれば、光ケーブルと遊技機のメイン基板との接続構造は、メイン基板に対して、光コネクタの外形により若干大きい穴を作り、そこに光ケーブルを通すことで、光ケーブルの光通信路を遮断しないとメイン基板を持ち出すことができなくなるような構造のものであってもよい。
【００１９】
本発明によれば、光ケーブルと遊技機のメイン基板との接続構造は、メイン基板のケースに開けられた穴より大きいフランジを有する光コネクタによって光ケーブルをケースの上下から接続することで、光ケーブルの光通信路を遮断しないと、ケースを開封することができなくなるような構造のものでもよい。
【００２０】
本発明によれば、光ケーブルと遊技機のメイン基板との接続構造は、メイン基板のケースに開けられた穴より大きいフランジを有する光コネクタによって光ケーブルがケースの上下から接続されるとともにその光ケーブルがメイン基板の上下のコネクタを介してメイン基板を中継して接続されるような構造のものであってもよい。
【００２１】
本発明によれば、光ケーブルと遊技機のメイン基板との接続構造は、光ケーブルをラッチのない光コネクタを介して基板固定具に取付けるとともにその基板固定具を動作の支点を有する構造のものとすることによって、メイン基板の装着又は脱却時における基板固定具の動作によって光ケーブルの光通信路が遮断されるような構造のものであってもよい。
【発明の効果】
【００２２】
本願発明によれば、遊技機の電源が落ちた状態でも光通信路の異常を検出できるため、遊技機の電源の状態に関係なく遊技機の不正を常時監視できる。基板の改造または交換を行うとき、光通信路と基板を分離する必要があるが、メタルケーブルと比較して光通信路はバイパスを作ることが困難であるため、通信が行われている経路を一時的に切断することになる。そのため、監視装置は光通信路に異常があったことが分かり、遊技機の点検により基板の改造または交換の発見が可能となる。また、遊技機の内部にあるメイン基板等に光分岐装置を設けることで、光通信路のループから光分岐装置により分岐された先の光通信路も遊技機の外に露出することがないため、ループ部分を回避して分岐先の光通信路に不正を行うことが困難になる。さらに、光通信路の切断箇所が確認できるため、不正な改造の疑いがある遊技機の特定が容易になる。光通信を用いているので、ノイズの混入も無く正確なデータ通信が可能であり、また、光通信路のバイパスを作ることが困難なため、ぶら下げ基板の接続による不正行為を防止できる。さらに、不正改造された遊技機のメイン基板を特定できるため、不正改造された遊技機を黙視によって検出し確認する必要がない。さらに本発明の不正監視システムをホールコンピュータと直接的に又は集中端子板を介して間接的に光通信路によって接続することによって、ホールコンピュータが全遊技機の制御情報だけでなく不正に関する情報も一括して管理できるため、将来の検査機関による遠隔地からの検査要請にも十分適用できる。また、共通の光通信路を使用して遊技機からのデータ通信だけなく遊技機の不正監視を達成できるので、余分なコスト又はスペースを必要とすることもない。
【発明を実施するための最良の形態】
【００２３】
以下図面を参照して本発明の実施形態について説明する。図１Ａ及び図１Ｂは、光通信の通信方式を説明する図であり、図２Ａ及び図２Ｂは、本発明の不正監視システムを構成する監視装置及び遊技機のメイン基板を示す図であり、図３は、光通信を利用した本発明の不正監視システムの構成を示す図である。
【００２４】
光通信には、図１Ａのように監視装置１と３つの遊技機２との間で一対一で通信を行うＳＳ方式や、図１Ｂのように光通信路を途中でスプリッタ３で分岐させて一対多で通信を行うＰＤＳ方式等がある。ＰＤＳ方式では、例えば、光加入者線終端装置（Optical Line Terminal: 以下「ＯＬＴ」と称する。）と、光加入者線ネットワーク装置（Optical Network Unit: 以下「ＯＮＵ」と称する。）とを監視装置１と遊技機２にそれぞれ配置して光通信を行うことができる。しかし、どちらの方式でも、遊技機２の電源が落とされてしまうと、通信が成立しないので問題の解決にはならない。なお、本発明の実施形態では、「ＯＬＴ」、「ＯＮＵ」及び「スプリッタ」が、それぞれ、本発明の「光通信網制御装置」、「光通信端末装置」及び「光分岐装置」を構成する。
【００２５】
そこで、ＯＬＴ４と、ＯＮＵ５とを図２Ａ、図２Ｂのように監視装置１と遊技機２（実質的には遊戯機のメイン基板を指す、以下「遊技機２」と略す。）に配置し、監視装置１と各遊技機２を図３のように光ケーブル６で接続する。監視装置１内には、ＯＬＴ４と、ＯＮＵ５の他にこれらの機器を制御する制御回路７が設けられ、また、監視装置１の遊技機側には光コネクタＡ、Ｂがそれぞれ設けられている。
【００２６】
遊技機２には、ＯＮＵ５の他に、光通信路を分岐するためのスプリッタ３と、ＯＮＵ５を含む他の素子の制御を行うメインチップ８が設けられている。また、遊技機２の両端には、監視装置１又は他の遊技機２と光通信接続を行うためのコネクタＡ、Ｂがそれぞれ設けられている。なお、図２Ａ、図２Ｂ及び図３において、太い線の矢印は、光通信路を表し、細い線の矢印は、電気信号路を表している。
【００２７】
図３に示されているように、監視装置１と遊技機２の光コネクタＡと光コネクタＢとを光ケーブル６で接続することによって複数の遊技機２と監視装置１との間に光通信路ループが形成されている。すなわち、監視装置１内のＯＬＴ４は光通信路ループを経由して同じ監視装置１内のＯＮＵ５と通信を行うようになっており、これによって遊技機の電源が落ちている状態でも、光通信路の断線等を把握可能となる。なお、光ケーブル６は、各遊技機（メイン基板）２に対して、各メイン基板が不正に動かされた場合にその光ケーブル６の光通信路が遮断されるように接続されている。この接続構造の具体例は、図８〜図１１に示してあり、これについては後述する。
【００２８】
次に図３の不正監視システムの動作について説明する。図３の監視システムでは、監視装置１は、遊技機２の電源の状態に関わりなく、監視装置１内のＯＬＴ４とＯＮＵ５との間で双方向光通信を行うように構成されている。すなわち、監視装置１のＯＬＴ４は、遊技機の電源の状態に関わりなく、遊技機２内のＯＮＵ５及び監視装置１内のＯＮＵ５に対して、短い周期で通信を試みる。遊技機２の電源が入った状態では、監視装置１と各遊技機２との通信が成立するので、遊技機２に実装したメインチップのＩＤやその他のデータを監視装置１に送ることで、遊技機２の真贋が可能となる。また、遊技機２の電源が落とされた状態では、各遊技機２との通信は行うことができないが、各遊技機に接続されている光ケーブル６を通して、監視装置１内のＯＬＴ４、ＯＮＵ５間での通信が可能である。そのため、監視装置１内のＯＬＴ４、ＯＮＵ５間で通信を行っていれば、遊技機２の不正改造のために光通信路を一箇所でも外せば通信ができなくなり、監視装置１で光通信路に異常が生じたことが確認できる。
【００２９】
図４及び図５は、本発明の不正監視システムの別の実施形態で使用する光信号監視回路及び遊技機（実質的にはそのメイン基板）の構成を示している。この不正監視システムの実施形態では、図５の遊技機２０が、図２Ｂと図３の遊技機２と置き換えられる。図５の遊技機２０では、遊技機２のスプリッタ３に代えて２つのスプリッタ３ａ及び３ｂが設けられている。さらに、遊技機２にはない２つの光信号監視回路Ｍ１及びＭ２が設けられている。これらの光信号監視回路Ｍ１及びＭ２はいずれも図４に示すような構成を有しており、それぞれ２つのスプリッタ３ａ及び３ｂと光通信路によって接続されている。また、ＯＮＵ５との間で電気信号路によって接続されている。なお、図４及び図５も、図２Ａ、図２Ｂ及び図３と同様に、太い線の矢印は、光通信路を表し、細い線の矢印は、電気信号路を表している。
【００３０】
図４の光信号監視回路Ｍ１及びＭ２には、コンデンサの充放電回路が設けられている。図示するように、この充放電回路は、コンデンサＣ１と、電源Ｅ及びトランジスタＴＲを含む駆動回路４１とから構成されている。また、コンデンサＣ１と並列にＮゲートサイリスタＳＣＲが設けられて、このＮゲートサイリスタＳＣＲのスイッチング動作によってコンデンサＣ１が放電されるようになっている。さらに、スプリッタ３ａ、３ｂからの光信号を電気信号に変換するための受光素子４２が設けられ、この受光素子４２の出力はＮゲートサイリスタＳＣＲのゲート端子に接続され、この受光素子４２の出力によってＮゲートサイリスタＳＣＲのスイッチング制御が行われる。また、コンデンサＣ１の両端の電圧を検出するための電圧検出器４３も設けられている。
【００３１】
次に図４の光信号監視回路Ｍ１及びＭ２とその回路を組み込んだ図５の遊技機２０の動作について説明する。図４の光信号監視回路Ｍ１及びＭ２は光が入力されていれば、ＮゲートサイリスタＳＣＲはオフであるのでコンデンサＣ１に貯められた電荷は保持される。しかし光通信路が断線し、光が一度でも入力されなかった場合、ＮゲートサイリスタＳＣＲはコンデンサＣ１の電荷がなくなるまでオンし続ける。よって、遊技機２０の電源が立ち上がったとき、このコンデンサＣ１の状態を電圧検出器４３が検出し、それをＯＮＵ５を介して監視装置１に知らせる。これによって、図６のように監視装置１はどの部分で異常があったかを把握することが可能となる。監視装置１との通信が終了した後、コンデンサＣ１への充電が駆動回路４１によって行われる。
【００３２】
次に図６、図７Ａ、図７Ｂ及び図７Ｃを参照してどのようにして光通信路の断線箇所を特定するかについて説明する。図７Ａ、図７Ｂ及び図７Ｃは、図６のように接続された４つの遊技機１〜４の各光信号監視回路Ｍ１及びＭ２におけるコンデンサＣ１の状態を示したもので、図７Ａは、光通信路の断線がないとき、図７Ｂは、光通信路の断線が一箇所（断線α）のとき、及び、図７Ｃは、光通信路の断線が二箇所（断線α、β）以上のときのコンデンサＣ１の状態を示している。光信号監視回路Ｍ１及びＭ２は、図６において遊技機の左側及び右側の断線をそれぞれ検出する、言い換えれば、図６においてＭ１がＢ→Ａ方向の光通信路の断線を検出し及びＭ２がＡ→Ｂ方向の光通信路の断線を検出する。従って、両方向からの光通信路の断線を検出することによって断線箇所α及びβを特定できる。
【００３３】
以上述べたように、この不正監視システムの実施形態では、図４の光信号監視回路を図５のＭ１及びＭ２のように遊技機に追加することによって、遊技機の電源を立ち上げたとき、光通信路の断線等があったところが特定可能となる。
【００３４】
上記の不正監視システムの実施形態では、光通信路に異常があったときに光信号監視回路内のコンデンサを放電させるように構成されているが、このような構成の代わりに、メインチップのバックアップで使用しているコンデンサを放電させることで、バックアップデータを破壊し、異常があったことを知らせることも可能である。
【００３５】
また、本発明の不正監視システムをホールコンピュータと直接に又は遊技機の各メイン基板に接続された集中端子板を介して間接的に光通信路で接続してもよい。また、本発明の監視装置をホールコンピュータ内に配置してもよい。このように監視装置をホールコンピュータ内に配置することによって共通の光通信路を用いてホールコンピュータが全遊技機の制御情報だけでなく遊技機の不正に関する情報も常時一括して管理できるので、将来の検査機関による遠隔地からの検査の要請にも十分適用可能である。
【００３６】
なお、メイン基板をケースから出すときには、この光通信路を外さなければ行えない構造にしておけば、さらに改造がし難くなる。以下この構造について図８〜図１１を参照して説明する。
【００３７】
図８は、持ち出されては困る部品すなわちメイン基板であるプリント基板８１に対して、光コネクタ８２の外形により若干大きい穴８３を作り、そこに光ケーブル８４を通すことで、光ケーブル８４の光通信路を遮断しないと持ち出すことができなくなる構造を示している。
【００３８】
図９は、ケース９５に開けられた穴より大きいフランジ９６を有する光コネクタ９２で、ケース９５の上下から接続することで、光ケーブル９４の光通信路を遮断しないと、ケースを開封することができなくなる構造を示している。
【００３９】
図１０は、機構的に図９と同じ構造であって光ケーブル１０４がプリント基板１０１側の上下のコネクタ１０７を介してプリント基板１０１を中継して接続されている構造を示している。この構造は、監視装置のＯＮＵが実装された基板等のように、光信号を基板内に取り込まなければならない場合に有用である。
【００４０】
図１１は、光ケーブル１１４をラッチのない光コネクタ１１２を介して基板固定具１１８に取付け、その基板固定具１１８をプリント基板１１１に装着した構造を示している。基板固定具１１８を図のような支点Ｃを有する構造のものとすることによって、プリント基板の装着又は脱却時には、基板固定具１１８の先端が必ず矢印Ａ、Ａ´の方向へ押されるので、それによって、光ケーブル１１４の光通信路が遮断される。すなわち、光コネクタ１１２が矢印Ｂ、Ｂ´の方向へ動く。
【図面の簡単な説明】
【００４１】
【図１Ａ】ＳＳ方式よる光通信方式を示す図である。
【図１Ｂ】ＰＤＳ方式による光通信方式を示す図である。
【図２Ａ】本発明の１つの実施形態による不正監視システムにおける監視装置の構成図である。
【図２Ｂ】本発明の１つの実施形態による不正監視システムにおける遊技機の構成図である。
【図３】本発明の１つの実施形態による不正監視システムの構成図である。
【図４】本発明の別の実施形態による不正監視システムにおける遊技機に使用される光信号監視回路の回路図である。
【図５】本発明の別の実施形態による不正監視システムにおける遊技機の構成図である。
【図６】本発明の別の実施形態による不正監視システムにおいて光通信路の断線箇所を特定することを説明するための図３と同様な構成図である。
【図７Ａ】図６の光通信路に断線がない場合における図４の光信号監視回路内のコンデンサの状態を示す図である。
【図７Ｂ】図６の光通信路に断線が一箇所ある場合における図４の光信号監視回路内のコンデンサの状態を示す図である。
【図７Ｃ】図６の光通信路に断線が二箇所ある場合における図４の光信号監視回路内のコンデンサの状態を示す図である。
【図８】遊技機のメイン基板と光ケーブルとの接続構造の一例を示す図である。
【図９】遊技機のメイン基板と光ケーブルとの接続構造の別の例を示す図である。
【図１０】遊技機のメイン基板と光ケーブルとの接続構造の更に別の例を示す図である。
【図１１】遊技機のメイン基板と光ケーブルとの接続構造の更に別の例を示す図である。
【符号の説明】
【００４２】
１  監視装置
２  ２０  遊技機
３、３ａ、３ｂ  スプリッタ
４  光加入者線終端装置（ＯＬＴ）
５  光加入者線ネットワーク装置（ＯＮＵ）
６  光ケーブル
７  制御回路
８  メインチップ
Ａ、Ｂ  光コネクタ
Ｍ１、Ｍ２  光信号監視回路
Ｅ  電源
ＴＲ  トランジスタ
ＳＣＲ  Ｎゲートサイリスタ
Ｃ１  コンデンサ
４１  駆動回路
４２  受光素子
４３  電圧検出器
８１、９１、１０１、１１１  プリント基板
８２、９２、１０２、１０７、１１２  光コネクタ
８３  穴
８４、９４、１０４、１１４  光ケーブル
９５、１０５  ケース
９６  フランジ
１１８  基板固定具
【図１Ａ】
0005612811.tif 000002
【図１Ｂ】
0005612811.tif 000003
【図２Ａ】
0005612811.tif 000004
【図２Ｂ】
0005612811.tif 000005
【図３】
0005612811.tif 000006
【図４】
0005612811.tif 000007
【図５】
0005612811.tif 000008
【図６】
0005612811.tif 000009
【図７Ａ】
0005612811.tif 000010
【図７Ｂ】
0005612811.tif 000011
【図７Ｃ】
0005612811.tif 000012
【図８】
0005612811.tif 000013
【図９】
0005612811.tif 000014
【図１０】
0005612811.tif 000015
【図１１】
0005612811.tif 000016